(57)【要約】【課題】冷却システムの運転が停止しているときでも充填材表面でのスケール析出が抑制ないし防止される冷却塔及びその運転方法を提供する。【解決手段】ケーシング２の外周囲において、充填材５を取り巻くように散水管２０が設置されている。この散水管２０には、充填材５に向って開口するノズル２１が設けられている。水槽４内の水位が低下すると、ボールタップ１５が開栓し、補給水が配管１４、ボールタップ１５、配管１９、散水管２０の順に流れ、充填材５に向って散水される。冷却システムの運転停止時に補給水を散水すると、充填材５の乾燥が防止され、充填材５でのスケール析出が防止される。【選択図】図１
2013210136.tif 000002
【特許請求の範囲】
【請求項１】
塔内部に充填材が設置された冷却塔の運転方法において、
冷却システムが停止状態にあるときに循環冷却水又はそれよりも塩類濃度の低い水を該充填材に散水することを特徴とする冷却塔の運転方法。
【請求項２】
請求項１において、前記循環冷却水よりも塩類濃度の低い水は該冷却塔の補給水であることを特徴とする冷却塔の運転方法。
【請求項３】
塔内部に充填材が設置された冷却塔において、冷却システムが停止状態にあるときに該充填材に散水する散水手段を備えたことを特徴とする冷却塔。
【請求項４】
塔内部に充填材が設置された冷却塔において、循環冷却水よりも塩類濃度が低い水を該充填材に散水する散水手段を備えたことを特徴とする冷却塔。
【請求項５】
塔内部に充填材が設置された冷却塔において、循環冷却水又はそれよりも塩類濃度が低い水を塔外から該充填材に散水する散水手段を備えたことを特徴とする冷却塔。
【請求項６】
請求項３ないし５のいずれか１項において、前記散水手段は、前記冷却塔への補給水を散水するものであることを特徴とする冷却塔。
【発明の詳細な説明】
【技術分野】
【０００１】
本発明は、循環冷却水系に設置される冷却塔と、その運転方法に関するものであり、特に冷却塔内の充填材へのスケール付着を防止するよう構成した冷却塔と、その運転方法に関する。
【背景技術】
【０００２】
冷房装置等には、蒸発潜熱により水を冷却する開放型の冷却塔が広く用いられている。
【０００３】
このような開放型の冷却塔にあっては、冷却塔ファン（送風機）の稼動によって冷却塔の外部から充填材を通して空気が取り込まれるため、充填材の外側では散水されにくくなる。これによって充填材の外側を中心に濡れ乾きが繰り返されることとなり、充填材に散水された冷却水が蒸発するため、冷却水に含まれる例えばシリカなどの不純物が濃縮され、スケールとなって付着する。
【０００４】
冷却水系におけるスケール付着を防止するため、循環冷却水の一部を定期的に排水（ブローダウン）して新たな冷却水を補給することにより、不純物の濃縮倍率を管理値以下に保持することが行われている（例えば特許文献１）。
【０００５】
特許文献２には、冷却塔のピット内の水を精密濾過膜で濾過して微粒子スケール成分を除去してスケール析出を防止することが記載されている。
【先行技術文献】
【特許文献】
【０００６】
【特許文献１】特開２００７−２７８６０８
【特許文献２】特開２０１０−２５３３６０
【発明の概要】
【発明が解決しようとする課題】
【０００７】
上記従来のスケール防止方法では、充填材の外側部分や、冷却塔及び冷却水が循環通水される熱交換器を有した冷却システムの停止中に、充填材が乾いて充填材にスケールが析出することを防止できない。
【０００８】
本発明は、冷却システムの運転が停止しているときでも充填材表面でのスケール析出が抑制ないし防止される冷却塔及びその運転方法を提供することを目的とする。
【課題を解決するための手段】
【０００９】
第１発明の冷却塔の運転方法は、塔内部に充填材が設置された冷却塔の運転方法であって、該冷却塔が停止状態にあるときに循環冷却水又はそれよりも塩類濃度の低い水を該充填材に散水することを特徴とするものである。
【００１０】
冷却水よりも塩類濃度の低い水としては冷却塔の補給水が好適である。
【００１１】
第２発明の冷却塔は、塔内部に充填材が設置された冷却塔において、冷却システムが停止状態にあるときに該充填材に散水する散水手段を備えたことを特徴とするものである。
【００１２】
第３発明の冷却塔は、塔内部に充填材が設置された冷却塔において、循環冷却水よりも塩類濃度が低い水を該充填材に散水する散水手段を備えたことを特徴とするものである。
【００１３】
第４発明の冷却塔は、塔内部に充填材が設置された冷却塔において、循環冷却水又はそれよりも塩類濃度が低い水を塔外から該充填材に散水する散水手段を備えたことを特徴とするものである。
【発明の効果】
【００１４】
冷却システムが停止している状態で充填材に散水すると、充填材表面の乾燥が防止され、スケール析出が抑制ないし防止される。
【００１５】
充填材に対し循環冷却水よりも塩類濃度が低い水を散水すると、冷却システムが停止している場合でも充填材表面に付着残留する水の塩類濃度が低くなるので、充填材表面でのスケール析出が抑制ないし防止される。
【００１６】
この散水手段を塔外に設置する場合には、既存の冷却塔に対しても散水手段を後付けして本発明の冷却塔とすることができる。
【００１７】
塩類濃度の低い水としては補給水が好適である。補給水の塩類濃度は著しく低いので、充填材表面におけるスケール析出防止効果が高い。
【図面の簡単な説明】
【００１８】
【図１】実施の形態に係る冷却塔の概略的な縦断面図である。
【図２】実施の形態に係る冷却塔の概略的な縦断面図である。
【図３】実施の形態に係る冷却塔の概略的な縦断面図である。
【図４】実施の形態に係る冷却塔の概略的な縦断面図である。
【発明を実施するための形態】
【００１９】
以下、図１〜４を参照して実施の形態について説明する。
【００２０】
図１は第１の実施の形態に係る冷却塔を示すものである。
【００２１】
この冷却塔１は、ケーシング（塔体）２を備え、ケーシング２の側面に空気流入口３が形成され、底部に冷却水の水槽（ピット）４が設けられている。ケーシング２内に充填材５が収容され、充填材５の上方に、冷却水の散水ノズル６が配設されている。ケーシング２の頂部に開口７が設けられ、この開口７に送風機８が設けられている。水槽４の底部近傍に冷却ポンプ９の吸引口が接続され、冷却ポンプ９の吐出口は、冷却水の往配管１０を介して熱交換器１２の一端に連結されている。熱交換器１２の他端は冷却水の戻り配管１３を介して冷却塔１の散水ノズル６に連結されている。
【００２２】
水槽４には、補給水（地下水、水道水、工業用水など）の給水配管１４が接続された、水位制御手段であるボールタップ１５が設けられ、水槽４の水位を設定範囲に保持するようになっている。
【００２３】
ケーシング２の外周囲において、充填材５を取り巻くか又は対峙するように散水管２０が設置されている。この散水管２０には、充填材５に向って開口するノズル２１が設けられている。ノズル２１は、散水管２０の長手方向において間隔をおいて多数設けられている。
【００２４】
前記ボールタップ１５の流出側に連なる配管１９が散水管２０に接続されている。
【００２５】
水槽４にはブロー弁（又はブローポンプ）２３を有したブロー配管２４と、オーバーフロー管２５とが設けられている。
【００２６】
この実施の形態では、ボールタップ１５は水槽（ピット）４に直接には注水せず、ボールタップ流出水の全量を配管１９へ送り出すよう構成されている。
【００２７】
この冷却塔１において、水槽４内の水位が低下すると、ボールタップ１５が開栓し、補給水が配管１４、ボールタップ１５、配管１９、散水管２０の順に流れ、ノズル２１から充填材５に向って散水される。
【００２８】
また、循環水の電気伝導度を電気伝導度計（図示略）で測定し、この電気伝導度が設定値を超えるときには、ブロー弁２３を開として所定量のブローを行い、ボールタップ１５を作動させて補給水を供給する。この場合も、補給水はノズル２１から充填材５に向って散水される。
【００２９】
このように、電気伝導度が低く塩類濃度が低い補給水を充填材５に散水することにより、充填材５に付着残留する水の塩類濃度が低くなり、スケールの析出が抑制される。
【００３０】
この冷却塔１では、ポンプ９を停止して熱交換器１２への冷却水の循環を停止している冷却システム停止状態において、連続的又は間欠的にブロー弁２３を開とすることにより、補給水を充填材５に向って噴射し、充填材５の乾燥防止や、付着残留水の希釈を行う。これにより、充填材５の表面でのスケール析出が抑制ないし防止される。
【００３１】
上記実施の形態では補給水を充填材５に散水するようにしているが、図２〜４の実施の形態では冷却システムの停止時（熱交換器１２への冷却水送水停止時）に冷却水を充填材５に連続的又は間欠的に散水する。なお、図２〜４では、ボールタップ１５は補給水を水槽４に注水するように設置されている。
【００３２】
図２の冷却塔では、水槽４内に水中ポンプ３０を設置している。冷却システムの停止時に、水槽４内の水をホース３１を介して散水管２０に供給してノズル２１から散水する。
【００３３】
図３では、循環往配管１０に三方弁３３を設け、冷却システムの停止時にポンプ９を作動させ、冷却水を配管１０，３４を介して散水管２０に供給してノズル２１から散水する。
【００３４】
図４では、散水管２０を省略している。冷却システムの停止時に、三方弁３３からの冷却水を配管３５によって循環戻り配管１３に供給し、充填材５の上方の散水ノズル６から充填材５に散水するよう構成している。
【００３５】
図２〜４においては、ポンプ消費電力の節約のために、ポンプ９，３０は、充填材５が乾燥しない程度のなるべく少ない頻度で作動されることが望ましい。
【００３６】
上記実施の形態はいずれも本発明の一例であり、本発明は上記以外の形態とされてもよい。
【００３７】
例えば、図１において、散水管２０を省略し、配管１９を循環戻り配管１３又はノズル６に接続して補給水を散水ノズル６に導入可能とし、冷却システムの停止時にブロー弁２３を開とすることにより、補給水を散水ノズル６から充填材５に散水してもよい。
【００３８】
本発明では、ブロー弁又はブローポンプを作動させて補給水を散水する代わりに、ブロー弁又はブローポンプを作動せずに前述の循環水の電気伝導度測定による制御と連動させるなどして補給水供給手段（ポンプ、バルブ等）のみを作動させて補給水を充填材に散水し、水槽４内の水をオーバーフロー配管２５へオーバーフローさせてもよい。
【符号の説明】
【００３９】
１  冷却塔
４  水槽
５  充填材
６  散水ノズル
１２  熱交換器
１５  ボールタップ
２０  散水管
２１  ノズル
２３  ブロー弁
３０  水中ポンプ
【図１】
2013210136.tif 000003
【図２】
2013210136.tif 000004
【図３】
2013210136.tif 000005
【図４】
2013210136.tif 000006